(57)【要約】  ６価クロム処理剤は、Ｌ−アスコルビン酸、Ｌ−アスコルビン酸ナトリウム、Ｌ−アスコルビン酸カルシウム、Ｌ−アスコルビン酸２−グルコシド、エリソルビン酸、エリソルビン酸ナトリウム、およびエリソルビン酸カルシウムからなる群から選ばれる少なくとも一種の化合物（Ａ）と、下記式（ｂ１）で表される化合物、下記式（ｂ２）で表される化合物、下記式（ｂ３）で表される化合物、１，２，４−ベンゼントリオールおよび１，３，５−ベンゼントリオールからなる群から選ばれる少なくとも一種の化合物（Ｂ）と、無水硫酸ナトリウム、無水硫酸カリウム、無水硫酸マグネシウム、および無水硫酸カルシウムからなる群から選ばれる少なくとも一種の化合物（Ｃ）とを含む。【化１】2020013037.tif 000027【選択図】なし
2020013037.tif 000002
【特許請求の範囲】
【請求項１】
Ｌ−アスコルビン酸、Ｌ−アスコルビン酸ナトリウム、Ｌ−アスコルビン酸カルシウム、Ｌ−アスコルビン酸２−グルコシド、エリソルビン酸、エリソルビン酸ナトリウム、およびエリソルビン酸カルシウムからなる群から選ばれる少なくとも一種の化合物（Ａ）と、
下記式（ｂ１）で表される化合物、下記式（ｂ２）で表される化合物、下記式（ｂ３）で表される化合物、１，２，４−ベンゼントリオール、および１，３，５−ベンゼントリオールからなる群から選ばれる少なくとも一種の化合物（Ｂ）と、
無水硫酸ナトリウム、無水硫酸カリウム、無水硫酸マグネシウム、および無水硫酸カルシウムからなる群から選ばれる少なくとも一種の化合物（Ｃ）とを含む、
６価クロム処理剤。
【化１】
2020013037.tif 000025
（式（ｂ１）、（ｂ２）および（ｂ３）中、Ｒは、−ＣＯＯＨまたは−ＣＯＯ（ＣＨ2）nＣＨ3で表される基であり、ｎは０、１または２を表す。）
【請求項２】
化合物（Ａ）、化合物（Ｂ）および化合物（Ｃ）の合計を１００質量部としたとき、化合物（Ａ）を６０質量部以上９０質量部以下の量で、化合物（Ｂ）を５質量部以上２０質量部以下の量で、化合物（Ｃ）を５質量部以上２０質量部以下の量で含む、
請求項１に記載の６価クロム処理剤。
【請求項３】
前記化合物（Ａ）が、Ｌ−アスコルビン酸、Ｌ−アスコルビン酸ナトリウム、Ｌ−アスコルビン酸カルシウム、エリソルビン酸、またはエリソルビン酸ナトリウムである、
請求項１または２に記載の６価クロム処理剤。
【請求項４】
前記化合物（Ｂ）が、前記式（ｂ１）で表される化合物、１，２，４−ベンゼントリオール、または１，３，５−ベンゼントリオールである、
請求項１〜３のいずれか１項に記載の６価クロム処理剤。
【請求項５】
前記化合物（Ｃ）が、無水硫酸ナトリウムである、
請求項１〜４のいずれか１項に記載の６価クロム処理剤。
【請求項６】
さらに、タンニン酸およびカテキンからなる群から選ばれる少なくとも一種の化合物（Ｄ）を含む、
請求項１〜５のいずれか１項に記載の６価クロム処理剤。
【請求項７】
６価クロムを含む汚染物質と、請求項１〜６のいずれか１項に記載の６価クロム処理剤とを接触させ、前記汚染物質に含まれる６価クロムを還元する工程を含む、
６価クロムを含む汚染物質の処理方法。
【請求項８】
前記６価クロムを含む汚染物質が、６価クロムを含む廃水、６価クロムを含む土壌または６価クロムを含む骨粉である、
請求項７に記載の６価クロムを含む汚染物質の処理方法。
【請求項９】
６価クロムを含む骨粉と、６価クロム処理剤とを接触させ、前記骨粉に含まれる６価クロムを還元する工程を含み、
前記６価クロム処理剤が、Ｌ−アスコルビン酸、Ｌ−アスコルビン酸ナトリウム、Ｌ−アスコルビン酸カルシウム、Ｌ−アスコルビン酸２−グルコシド、エリソルビン酸、エリソルビン酸ナトリウム、およびエリソルビン酸カルシウムからなる群から選ばれる少なくとも一種の化合物（Ａ）と、
下記式（ｂ１）で表される化合物、下記式（ｂ２）で表される化合物、下記式（ｂ３）で表される化合物、１，２，４−ベンゼントリオール、および１，３，５−ベンゼントリオールからなる群から選ばれる少なくとも一種の化合物（Ｂ）と、
無水硫酸ナトリウム、無水硫酸カリウム、無水硫酸マグネシウム、および無水硫酸カルシウムからなる群から選ばれる少なくとも一種の化合物（Ｃ）とを含む、
６価クロムを含む骨粉の処理方法。
【化２】
2020013037.tif 000026
（式（ｂ１）、（ｂ２）および（ｂ３）中、Ｒは、−ＣＯＯＨまたは−ＣＯＯ（ＣＨ2）nＣＨ3で表される基であり、ｎは０、１または２を表す。）
【請求項１０】
前記骨粉に含まれる６価クロムを還元する工程が、土の地面に、骨粉を埋めるための骨粉用穴を設け、該骨粉用穴に、予め前記６価クロム処理剤を混合した土を入れ、該６価クロム処理剤を混合した土の上に、骨粉をおき、該骨粉の上から、さらに前記６価クロム処理剤を混合した土をかける工程である、
請求項９に記載の６価クロムを含む骨粉の処理方法。
【請求項１１】
前記骨粉に含まれる６価クロムを還元する工程が、土の地面に、骨粉を埋めるための骨粉用穴を設け、該骨粉用穴に、骨粉をおき、該骨粉の上に、土をかけ、該土の上から、さらに前記６価クロム処理剤を溶かした水溶液をかける工程である、
請求項９に記載の６価クロムを含む骨粉の処理方法。
【請求項１２】
前記骨粉に含まれる６価クロムを還元する工程が、じゃま板が設けられたトイに、前記６価クロム処理剤を溶かした水溶液を流し、流れる前記水溶液に対して、骨粉を散布し、前記じゃま板に前記水溶液と前記骨粉とが当たって攪拌されながら、水面に前記骨粉が放出される工程である、
請求項９に記載の６価クロムを含む骨粉の処理方法。
【発明の詳細な説明】
【技術分野】
【０００１】
本発明は、６価クロム処理剤、６価クロムを含む汚染物質の処理方法および６価クロムを含む骨粉の処理方法に関する。
【背景技術】
【０００２】
セメント工場などからの廃水には、６価クロムが混入することがある。このような６価クロムを含む廃水に対しては、海、河川、湖など公共用水域に排水する前に、６価クロムの含有量を低減するための処理が行われる。たとえば、特許文献１には、２価鉄を結晶中に含む黒雲母の粉砕物により、廃水に含まれる６価クロムを３価クロムに還元し、吸着除去することが記載されている。
【先行技術文献】
【特許文献】
【０００３】
【特許文献１】特開２０１８−００８２１５号公報
【発明の概要】
【発明が解決しようとする課題】
【０００４】
しかしながら、特許文献１に記載された粉砕物は、廃水中の６価クロムを３価クロムに十分に還元できない。すなわち、６価クロムの含有量を十分に低減できない。また、６価クロムを含む土壌および６価クロムを含む散骨用の骨粉など、その他の汚染物質においても、６価クロムの含有量を低減するための処理が必要な場合がある。しかしながら、その他の汚染物質についても、従来の処理では、６価クロムの含有量を十分に低減できない。【０００５】
そこで、本発明の目的は、汚染物質に含まれる６価クロムの含有量を十分に低減できる６価クロム処理剤を提供することにある。
【課題を解決するための手段】
【０００６】
本発明に係る６価クロム処理剤は、Ｌ−アスコルビン酸、Ｌ−アスコルビン酸ナトリウム、Ｌ−アスコルビン酸カルシウム、Ｌ−アスコルビン酸２−グルコシド、エリソルビン酸、エリソルビン酸ナトリウム、およびエリソルビン酸カルシウムからなる群から選ばれる少なくとも一種の化合物（Ａ）と、下記式（ｂ１）で表される化合物、下記式（ｂ２）で表される化合物、下記式（ｂ３）で表される化合物、１，２，４−ベンゼントリオール、および１，３，５−ベンゼントリオールからなる群から選ばれる少なくとも一種の化合物（Ｂ）と、無水硫酸ナトリウム、無水硫酸カリウム、無水硫酸マグネシウム、および無水硫酸カルシウムからなる群から選ばれる少なくとも一種の化合物（Ｃ）とを含む。【０００７】
【化１】
2020013037.tif 000003
【０００８】
式（ｂ１）、（ｂ２）および（ｂ３）中、Ｒは、−ＣＯＯＨまたは−ＣＯＯ（ＣＨ2）nＣＨ3で表される基であり、ｎは０、１または２を表す。
【発明の効果】
【０００９】
本発明の６価クロム処理剤は、汚染物質に含まれる６価クロムの含有量を十分に低減できる。
【図面の簡単な説明】
【００１０】
【図１】図１は、６価クロムを含む骨粉の処理方法を説明するための図である。
【図２】図２は、６価クロムを含む骨粉の処理方法を説明するための図である。
【図３】図３は、６価クロムを含む骨粉の処理方法を説明するための図である。
【発明を実施するための形態】
【００１１】
本発明を実施するための形態（実施形態）につき、詳細に説明する。以下の実施形態に記載した内容により本発明が限定されるものではない。また、以下に記載した構成要素には、当業者が容易に想定できるもの、実質的に同一のものが含まれる。さらに、以下に記載した構成は適宜組み合わせることが可能である。また、本発明の要旨を逸脱しない範囲で構成の種々の省略、置換または変更を行うことができる。
【００１２】
［実施形態］
＜６価クロム処理剤＞
実施形態に係る６価クロム処理剤は、化合物（Ａ）、化合物（Ｂ）および化合物（Ｃ）を含む。化合物（Ａ）は、Ｌ−アスコルビン酸、Ｌ−アスコルビン酸ナトリウム、Ｌ−アスコルビン酸カルシウム、Ｌ−アスコルビン酸２−グルコシド、エリソルビン酸、エリソルビン酸ナトリウム、およびエリソルビン酸カルシウムからなる群から選ばれる少なくとも一種である。化合物（Ｂ）は、下記式（ｂ１）で表される化合物、下記式（ｂ２）で表される化合物、下記式（ｂ３）で表される化合物、１，２，４−ベンゼントリオール、および１，３，５−ベンゼントリオールからなる群から選ばれる少なくとも一種である。
【００１３】
【化２】
2020013037.tif 000004
【００１４】
上記式（ｂ１）、（ｂ２）および（ｂ３）中、Ｒは、−ＣＯＯＨまたは−ＣＯＯ（ＣＨ2）nＣＨ3で表される基であり、ｎは０、１または２を表す。
【００１５】
化合物（Ｃ）は、無水硫酸ナトリウム、無水硫酸カリウム、無水硫酸マグネシウム、および無水硫酸カルシウムからなる群から選ばれる少なくとも一種である。
【００１６】
従来、６価クロム（Ｃｒ6+）を含む廃水から６価クロムを除去するための処理方法としては、特許文献１に記載の方法が知られている。また、還元剤として重亜硫酸ソーダまたは硫酸第一鉄により、６価クロムを３価クロム（Ｃｒ3+）に還元し、これを水酸化クロム（Ｃｒ（ＯＨ）3）の不溶性化合物として沈殿させ、得られた沈殿物を除去する方法も知られている。
【００１７】
しかしながら、従来の処理方法では、廃水中の６価クロムを３価クロムに十分に還元できない。すなわち、６価クロムの含有量を十分に低減できない。これに対して、実施形態に係る６価クロム処理剤を用いて、６価クロムを含む廃水を処理すると、廃水中の６価クロムを３価クロムに十分に還元できる。すなわち、６価クロムの含有量を十分に低減できる。なお、実施形態に係る６価クロム処理剤を用いた廃水の処理方法の詳細については、後述する。
【００１８】
また、実施形態に係る６価クロム処理剤には、安全な化合物を用いている。このため、実施形態に係る６価クロム処理剤で処理した廃水は、海、河川、湖など公共用水域に排水しても、環境への影響は小さいと考えられる。
【００１９】
実施形態に係る６価クロム処理剤は、化合物（Ａ）、化合物（Ｂ）および化合物（Ｃ）を含む組成物であり、粉末状であっても、錠剤状であってもよい。
【００２０】
化合物（Ａ）は、Ｌ−アスコルビン酸、Ｌ−アスコルビン酸ナトリウム、Ｌ−アスコルビン酸カルシウム、Ｌ−アスコルビン酸２−グルコシド、エリソルビン酸、エリソルビン酸ナトリウム、およびエリソルビン酸カルシウムからなる群から選ばれる少なくとも一種である。化合物（Ａ）は、一種単独で用いても、二種以上を組み合わせて用いてもよい。化合物（Ａ）は、６価クロムを含む廃水と接触した際、６価クロムを３価クロムに還元する還元力に優れている。また、６価クロムを３価クロムに速やかに還元できる。すなわち、即効性に優れている。
【００２１】
これらのうちで、Ｌ−アスコルビン酸、Ｌ−アスコルビン酸ナトリウム、Ｌ−アスコルビン酸カルシウム、エリソルビン酸、エリソルビン酸ナトリウム、エリソルビン酸カルシウムが好ましく用いられる。これらは、６価クロムを含む廃水と接触した際、速やかに溶けることができ、また、還元力に優れている。
【００２２】
また、Ｌ−アスコルビン酸、Ｌ−アスコルビン酸ナトリウム、Ｌ−アスコルビン酸カルシウム、エリソルビン酸、エリソルビン酸ナトリウムがより好ましく用いられる。これらは、食品添加物として指定されており、高い安全性を有する。なお、下記の項目１および項目２を満たす場合に、食品添加物として指定される。
【００２３】
１．毒性に関する項目
・反復投与試験（繰り返し食べさせたときの影響の確認）
・繁殖試験、催奇形性試験（次世代への影響の確認）
・発がん性試験
・抗原性試験（アレルギーを発症する可能性の確認）
・変異原性試験（遺伝子や染色体などへの影響の確認）
・一般薬理試験（試験された動物の生体機能に対する影響の確認）
２．体内動態に関する項目（体内でどう変化して代謝されるか）
【００２４】
さらに、Ｌ−アスコルビン酸、Ｌ−アスコルビン酸ナトリウムが特に好ましく用いられる。これらは、還元力により優れている。
【００２５】
化合物（Ａ）は、粒子の大きさが６０メッシュ以下であることが好ましく、１００メッシュ以下であることがより好ましい。すなわち、化合物（Ａ）は、６０メッシュの篩を透過する大きさであることが好ましく、１００メッシュの篩を透過する大きさであることがより好ましい。粒子の大きさが上記範囲にあると、６価クロムを含む廃水と接触した際、廃水に溶けやすくなり、即効性がより高まる。
【００２６】
化合物（Ｂ）は、上記式（ｂ１）で表される化合物、上記式（ｂ２）で表される化合物、上記式（ｂ３）で表される化合物、１，２，４−ベンゼントリオール、および１，３，５−ベンゼントリオールからなる群から選ばれる少なくとも一種である。化合物（Ｂ）は、一種単独で用いても、二種以上を組み合わせて用いてもよい。化合物（Ｂ）は、６価クロムを含む廃水と接触した際、６価クロムを３価クロムに還元する還元力に優れている。また、６価クロムを３価クロムに速やかに還元できる。すなわち、即効性に優れている。なお、還元力および即効性については、化合物（Ｂ）よりも化合物（Ａ）の方がより優れている。さらに、化合物（Ｂ）は、化合物（Ａ）の酸化を防止する酸化防止機能を有する。実施形態に係る６価クロム処理剤に、このような化合物（Ｂ）を用いることにより、安定性も向上できる。いいかえると、６価クロム処理剤が製造されてから、６価クロムを含む廃水の処理に用いられるまでの保存中の劣化が抑制できる。
【００２７】
これらのうちで、上記式（ｂ１）で表される化合物、１，２，４−ベンゼントリオール、または１，３，５−ベンゼントリオールが好ましく用いられる。これらは、還元力および酸化防止機能により優れる。さらに、上記式（ｂ１）で表される化合物のうち、没食子酸、没食子酸プロピルがより好ましく用いられる。これらは、食品添加物として指定されており、高い安全性を有する。
【００２８】
化合物（Ｂ）は、粒子の大きさが６０メッシュ以下であることが好ましく、１００メッシュ以下であることがより好ましい。すなわち、化合物（Ｂ）は、６０メッシュの篩を透過する大きさであることが好ましく、１００メッシュの篩を透過する大きさであることがより好ましい。粒子の大きさが上記範囲にあると、６価クロムを含む廃水と接触した際、廃水に溶けやすくなり、即効性がより高まる。
【００２９】
化合物（Ｃ）は、無水硫酸ナトリウム、無水硫酸カリウム、無水硫酸マグネシウム、および無水硫酸カルシウムからなる群から選ばれる少なくとも一種である。化合物（Ｃ）は、一種単独で用いても、二種以上を組み合わせて用いてもよい。６価クロム処理剤が化合物（Ｃ）を含んでいると、６価クロムを含む廃水と接触した際、廃水により速やかに溶けるようになる。また、化合物（Ｃ）は、脱水機能を有する。実施形態に係る６価クロム処理剤に、このような化合物（Ｃ）を用いることにより、保存中に水を吸着し難くなり、劣化し難くなる。
【００３０】
これらのうちで、無水硫酸ナトリウムが好ましく用いられる。６価クロム処理剤が無水硫酸ナトリウムを含んでいると、６価クロムを含む廃水と接触した際、より速やかに廃水に溶けるようになる。また、無水硫酸ナトリウムは、脱水機能に優れており、６価クロム処理剤の劣化をより抑制できる。さらに、食品添加物として指定されており、高い安全性を有する。
【００３１】
実施形態に係る６価クロム処理剤は、化合物（Ａ）、化合物（Ｂ）および化合物（Ｃ）の合計を１００質量部としたとき、化合物（Ａ）を６０質量部以上９０質量部以下の量で、化合物（Ｂ）を５質量部以上２０質量部以下の量で、化合物（Ｃ）を５質量部以上２０質量部以下の量で含むことが好ましい。化合物（Ａ）、化合物（Ｂ）および化合物（Ｃ）を上記の量で含んでいると、還元力および安定性のバランスが向上できる。
【００３２】
実施形態に係る６価クロム処理剤は、さらに、化合物（Ｄ）を含んでいてもよい。化合物（Ｄ）は、タンニン酸およびカテキンからなる群から選ばれる少なくとも一種である。化合物（Ｄ）は、一種単独で用いても、二種以上を組み合わせて用いてもよい。化合物（Ｄ）は、長期間にわたり還元力を発揮できる。化合物（Ｄ）を含むときは、実施形態に係る６価クロム処理剤は、化合物（Ａ）、化合物（Ｂ）および化合物（Ｃ）の合計１００質量部に対して、化合物（Ｄ）を０質量部を超え１０質量部以下の量で含むことが好ましい。
【００３３】
実施形態に係る６価クロム処理剤は、たとえば、化合物（Ａ）、化合物（Ｂ）、化合物（Ｃ）、および必要に応じて化合物（Ｄ）を適宜混合して、粉末状組成物として製造される。また、得られた粉末状組成物を適宜打錠して錠剤としてもよい。
【００３４】
＜６価クロムを含む廃水の処理方法＞
実施形態に係る６価クロムを含む廃水の処理方法は、６価クロムを含む廃水と、上述した６価クロム処理剤とを接触させ、上記廃水に含まれる６価クロムを３価クロムに還元する工程を含む。
【００３５】
工場などが、公共用水域に排出する排水は、排水基準による規制の対象となる。排水基準には、国が定めた基準（一律基準）と、都道府県がその地域の実態に応じて条例で定めたより厳しい基準（上乗せ基準）とがある。具体的には、一律基準では、６価クロム化合物の許容限度は０.５ｍｇＣｒ（ＶＩ）／Ｌである。上乗せ基準では、たとえば６価クロム化合物の許容限度は０.０５ｍｇＣｒ（ＶＩ）／Ｌである。従来の処理方法では、これらの排水基準を満たすように、６価クロムの含有量を低減できない場合がある。従来の処理を施した廃水に対して、６価クロムの含有量が十分に低減できていない場合に、さらに、上述した６価クロム処理剤を用いた処理を行うことが好ましい。これにより、通常、いずれの排水基準も満たすように、６価クロムの含有量を低減できる。
【００３６】
たとえば、上述した６価クロム処理剤を用いた処理により、６価クロムの含有量が０．０５ｍｇ／Ｌ以上１．０ｍｇ／Ｌ以下の廃水について、６価クロムの含有量を０．０５ｍｇ／Ｌ未満とできる。
【００３７】
実施形態に係る６価クロムを含む廃水の処理方法においては、具体的には、６価クロムを含む廃水を処理槽へ入れ、この処理槽に上記６価クロム処理剤を添加し、攪拌する。処理時間は適宜設定することができる。また、６価クロムを含む廃水１００質量部に対して上記６価クロム処理剤を２．５×１０-3質量部以上１２．５×１０-3質量部以下の量で添加することが好ましい。上記６価クロム処理剤を上記の量で用いると、６価クロムの含有量を十分に低減できる。
【００３８】
上記６価クロム処理剤には、安全な化合物を用いている。このため、実施形態に係る６価クロム処理剤で処理した廃水は、海、河川、湖など公共用水域にそのまま排出しても、環境への影響は小さいと考えられる。
【００３９】
［その他の実施形態］
＜６価クロムを含む土壌の処理方法および６価クロムを含む骨粉の処理方法＞
上述した実施形態では、汚染物質が廃水である場合の処理方法について説明した。しかしながら、その他の実施形態においては、汚染物質は、６価クロムを含んでいれば、廃水に限らず、土壌、焼却後の人間またはその他動物の骨粉であってもよい。すなわち、その他の実施形態として、６価クロムを含む土壌の処理方法、６価クロムを含む骨粉の処理方法が挙げられる。なお、いずれの処理方法においても、上述した６価クロム処理剤が好適に用いられる。
【００４０】
まず、６価クロムを含む土壌の処理方法について説明する。ところで、土壌汚染対策法において、土壌環境基準が定められている。６価クロムについては、検液１Ｌにつき０．０５ｍｇ以下などと定められている。従来の処理方法（たとえば還元処理、焼却処理）では、この基準を満たすように、６価クロムの含有量を低減できない場合がある。従来の処理方法を施した土壌に対して、６価クロムの含有量が十分に低減できていない場合に、さらに、上述した６価クロム処理剤を用いた処理を行うことが好ましい。これにより、通常、上記基準も満たすように、６価クロムの含有量を低減できる。
【００４１】
たとえば、上述した６価クロム処理剤を用いた処理により、６価クロムの含有量が検液１Ｌにつき０．０５ｍｇ以上１．０ｍｇ以下の土壌について、６価クロムの含有量を検液１Ｌにつき０．０５ｍｇ未満とできる。
【００４２】
実施形態に係る６価クロムを含む土壌の処理方法においては、具体的には、６価クロムを含む土壌に、上記６価クロム処理剤を散布する。次いで、上記６価クロム処理剤を散布した土壌に、水を撒くことが好ましい。水を撒くと、上記６価クロム処理剤が速やかに溶けるようになる。このため、６価クロムを３価クロムに速やかに還元できる。また、６価クロムを含む土壌１００質量部に対して上記６価クロム処理剤を２．５×１０-3質量部以上５０×１０-3質量部以下の量で添加することが好ましい。上記６価クロム処理剤を上記の量で用いると、６価クロムの含有量を十分に低減できる。
【００４３】
上記６価クロム処理剤には、安全な化合物を用いている。このため、実施形態に係る６価クロム処理剤で処理した土壌をそのまま放置しても、環境への影響は小さいと考えられる。
【００４４】
次に、６価クロムを含む骨粉の処理方法について説明する。骨粉には、６価クロムが含まれる場合がある。陸地に散骨する場合、そのまま散骨すると、環境への影響が懸念される。そこで、散骨の際には、６価クロムを含む骨粉は、還元処理などにより６価クロムの含有量を低減する処理が行われる場合がある。しかしながら、従来の処理方法では、６価クロムの含有量を十分に低減できない。このため、散骨の際には、６価クロムを含む骨粉に対して、上述した６価クロム処理剤を用いた処理を行うことが好ましい。これにより、通常、６価クロムの含有量を十分に低減できる。なお、骨粉には、骨片が含まれている場合もある。
【００４５】
実施形態に係る６価クロムを含む骨粉の処理方法においては、具体的には、６価クロムを含む骨粉に、上記６価クロム処理剤を添加し、混合する。散骨の際には、水を撒くことが好ましい。水を撒くと、上記６価クロム処理剤が速やかに溶けるようになる。このため、６価クロムを３価クロムに速やかに還元できる。また、６価クロムを含む骨粉１００質量部に対して上記６価クロム処理剤を２．５×１０-3質量部以上５０×１０-3質量部以下の量で添加することが好ましい。上記６価クロム処理剤を上記の量で用いると、６価クロムの含有量を十分に低減できる。
【００４６】
上記６価クロム処理剤には、安全な化合物を用いている。このため、実施形態に係る６価クロム処理剤で処理した骨粉を散骨して、そのまま放置しても、環境への影響は小さいと考えられる。
【００４７】
より具体的には、６価クロムを含む骨粉の処理方法は、遺族等への配慮から、埋葬と共に下記のように行うことが好ましい。図１〜図３は、６価クロムを含む骨粉の処理方法を説明するための図である。樹木葬を行う場合は、まず、図１のように、樹木の近くの土の地面に、骨粉を埋めるための骨粉用穴１１を設ける。次に、骨粉用穴１１に、予め６価クロム処理剤を混合した土１２を入れる。この６価クロム処理剤を混合した土１２の上に、骨粉１３をおく。最後に、骨粉１３の上から、さらに６価クロム処理剤を混合した土１２をかける。あるいは、まず、図２のように、樹木の近くの土の地面に、骨粉を埋めるための骨粉用穴２１を設ける。次に、骨粉用穴２１に、骨粉２２をおく。この骨粉２２の上に、土２３をかける。最後に、土２３の上から、さらに６価クロム処理剤を溶かした水溶液２４をかける。
【００４８】
また、海上散骨の場合は、図３のように、骨粉をまく際に、トイ３１を用いる。トイ３１にはじゃま板３２が設けられている。まず、トイ３１に、６価クロム処理剤を溶かした水溶液を流す。流れる水溶液に対して、骨粉を散布して散骨する。じゃま板３２に水溶液と骨粉とが当たって攪拌されながら、骨粉中の６価クロムが還元された状態で、水面（海水面）に骨粉が放出される。
【００４９】
なお、このような樹木葬、海上散骨においても、６価クロムを含む骨粉１００質量部に対して上記６価クロム処理剤を２．５×１０-3質量部以上５０×１０-3質量部以下の量で添加されるように行うことが好ましい。
【００５０】
さらに、実施形態に係る６価クロムを含む骨粉の処理方法は、海上散骨に限らず、湖、河川など、水中に散骨する場合に行ってもよい。具体的には、この場合は、骨粉中の６価クロムが還元された状態で、水面として、具体的には湖の水面、河川の水面に骨粉が放出される。
【００５１】
実施形態に係る６価クロムを含む骨粉の処理方法では、上述した実施形態に係る６価クロム処理剤を用いる。しかしながら、その他の実施形態に係る６価クロムを含む骨粉の処理方法では、下記の６価クロム処理剤を用いてもよい。この場合も、この６価クロム処理剤には、安全な化合物を用いているため、６価クロム処理剤で処理した骨粉を散骨して、そのまま放置しても、環境への影響は小さいと考えられる。
【００５２】
〔６価クロム処理剤〕
この６価クロム処理剤に含まれる６価クロム還元化合物としては、６価クロムを３価クロムに還元し得る化合物であり、たとえば、少なくとも、６価クロムと作用して３価に還元性を有する（３価に還元する性能を有する）Ｃ原子、Ｏ原子、Ｈ原子とからなり、３つの炭素間に１重結合と、２重結合を有し、中心の炭素に水酸基を有する下記式（１）に示される有機化合物（ＡＡ）が挙げられる。式（１）に示される構造は、６価クロムと作用して３価に還元性を有する。
【００５３】
【化３】
2020013037.tif 000005
【００５４】
式（１）中、Ｒ1、Ｒ2、Ｒ3、Ｒ4およびＲ5は、それぞれ独立に、Ｃ、Ｈ、Ｏで構成される置換基（Ｃ、Ｈおよび必要に応じてＯで構成される置換基）で、不飽和結合のカルボニル基を含むことが好ましいが、アルデヒド基、カルボキシル基といった反応性の官能基は有しない。また、アミン基、イソシアネート基などの窒素含有基、硫酸基などの硫黄含有基などの官能基も有しないことが好ましい。Ｒ1またはＲ2と、Ｒ3、Ｒ4またはＲ5のいずれかとは、互いに結合して環を形成していてもよい。
【００５５】
式（１）に示される構造を有する化合物は、環式炭化水素であってもよく、さらに単環または縮合環で構成される芳香族炭化水素であってもよい。なお、芳香族炭化水素である場合、π結合は実際は式（１）の炭素１、炭素２の間の二重結合の部分にとどまらず、非局在化している。また、環式炭化水素または芳香族炭化水素は、置換基を有していてもよい。
【００５６】
該有機化合物（ＡＡ）は、式（１）に示される構造およびヒドロキシル基を有し、かつ、その構造中に、アルデヒド基およびカルボキシル基といった反応性の官能基を有しないことが好ましい。
【００５７】
また、該６価クロム還元化合物として、該有機化合物（ＡＡ）に加えて、６価クロムと作用して３価に還元性を有する式（１）に示される構造を有し、かつ、ヒドロキシフェニル基、アルデヒド基およびカルボキシル基を有さない有機化合物（ＢＢ）を含むことが好ましい。また、アミン基、イソシアネート基などの窒素含有基、硫酸基などの硫黄含有基などの官能基も有しないことが好ましい。
【００５８】
有機化合物（ＡＡ）または（ＢＢ）としては、たとえば、下記化合物（式（２）〜（１３））およびその誘導体が挙げられる。本発明では、これらの混合物を用いることも好ましい。
【００５９】
【化４】
2020013037.tif 000006
【００６０】
【化５】
2020013037.tif 000007
【００６１】
【化６】
2020013037.tif 000008
【００６２】
【化７】
2020013037.tif 000009
【００６３】
【化８】
2020013037.tif 000010
【００６４】
【化９】
2020013037.tif 000011
【００６５】
【化１０】
2020013037.tif 000012
【００６６】
【化１１】
2020013037.tif 000013
【００６７】
【化１２】
2020013037.tif 000014
【００６８】
【化１３】
2020013037.tif 000015
【００６９】
【化１４】
2020013037.tif 000016
【００７０】
【化１５】
2020013037.tif 000017
【００７１】
なお、上記式（２）〜（１２）における炭素２が、たとえば上記式（１）の炭素２に対応している。
６価クロム還元化合物は、有害な６価クロムに作用して、無害な化合物に化学変化をさせる有機化合物である。この化合物はたとえば６価のクロムを還元して３価のクロムとして無害化ができる。
【００７２】
一般に還元剤は、水素化アルミニウムリチウム、水素化ホウ素ナトリウム、ヒドラジン、水素化ジブチルアルミニウム、シュウ酸、ギ酸などが知られている。これらの代表的還元剤を用いた場合、種々の問題がある。
【００７３】
水素化アルミニウムリチウムを用いた場合、薬剤は粉末状の強い還元剤であるが、水と激しく反応し水素を発生するため引火性を伴い危険である。
【００７４】
水素化ホウ素ナトリウムを用いた場合、薬剤はやや吸湿性があり水分により分解しやすいので、密栓して保存しなければならない。汗や雨等の水分により生成した水溶液は、薬剤が分解生成物のため、強い塩基性を示す。水で分解し水素を発生するため、取り扱いも困難である。
【００７５】
ヒドラジンは、アンモニアに似た刺激臭を持つ無色の液体であり、空気に触れると白煙を生じるので使用に耐えない。水に易溶で、強い還元性を持ち、分解しやすく引火性があるので取り扱いも困難である。
【００７６】
水素化ジブチルアルミニウムを用いた場合、薬剤は無色液体だが、湿気に弱いため、不活性ガス雰囲気下で保存・使用することになるので一般の大気中で活用することは困難である。
【００７７】
シュウ酸を用いた場合には、薬剤は体内で血液中のカルシウムイオンと強く結合するため毒性があり、毒物および劇物取締法により医薬用外劇物に指定されている。
【００７８】
ギ酸を用いた場合には、液体のギ酸溶液や蒸気は皮膚や目に対して有害であり、特に目に対して回復不能な障害を与えてしまう場合もある。また、吸入すると肺水腫などの障害を与えることがあるため使用には耐えない。この他、慢性的な曝露により肝臓や腎臓に悪影響を及ぼすと考えられていること、アレルギー源としての可能性も考えられていることから本発明の目的に合わず使用に耐えない。
【００７９】
このようなことから本出願人は、６価クロム還元化合物を種々鋭意調査実験し、目的に見合った化合物を見出した。
６価クロム還元化合物として含まれる有機化合物（ＡＡ）および（ＢＢ）は、６価クロムの処理機能がありこれを無害化する基本性能はもとより、有毒性を有しないものである。また、（ＡＡ）および（ＢＢ）は、それぞれの還元性によっても互いに分解を引き起こさず、また、反応せず互いに干渉し得ない化合物であることが、好ましい。該有機化合物としては、上記化学式（１）に示される基本骨格を有する化合物が好ましく、Ｃ、Ｈ、Ｏの原子からなる安定なものが好ましい。
【００８０】
上記化学式（１）に示される構造を有する該有機化合物には、アルデヒド基、カルボキシル基といった官能基を有しない。また、アミン基、イソシアネート基などの窒素含有基、硫酸基などの硫黄含有基などの官能基も有しないことが好ましい。このような官能基は反応性があるので予期しない反応をする恐れがあるため、６価クロム還元化合物には適さない。該有機化合物は、６価クロムに作用して６価として検出されない化合物を生成し、６価クロムを無害化することができる。
【００８１】
(有機化合物（ＡＡ）)
有機化合物（ＡＡ）は、上記化学式（１）に示される構造およびたとえば下記化学式（１５）に示すヒドロキシフェニル基を有する。該官能基を有することで、即効性もあり、長く安定して滞留し、長期にわたり還元作用を有し、耐熱性に優れる。有機化合物（ＡＡ）としては、安全性が高く、環境への負荷が少ない化合物が好ましい。
【００８２】
【化１６】
2020013037.tif 000018
【００８３】
化学式（１５）中、Ｒaは、一価の基または二価の基である。一価の基としては、水素原子、炭化水素基または酸素含有基が挙げられる。二価の基としては、二価の炭化水素基または二価の酸素含有基が挙げられる。この中でも、水素原子、一価の炭化水素基、二価の炭化水素基またはヒドロキシル基であることが、より相溶性を得ることができるため、好ましい。Ｒaは、それぞれ独立であり、互いに同一でも異なっていてもよいが、Ｒaは、隣接する基が互いに結合して芳香環や脂肪族環を形成していてもよい。また、Ｒaが、他のヒドロキシフェニル基のＲaと結合していてもよい。Ｒaの全てが同時に水素原子ではないことが好ましく、より即効性があり、安定して長期にわたってより良好な還元性を示すことから、化学式（１５）で表される基は、ジヒドロキシフェニル基またはトリヒドロキシフェニル基がより好ましく、３，４，５−トリヒドロキシフェニル基がより好ましい。
【００８４】
炭化水素基としては、炭素数１〜２０の炭化水素基が好ましく、具体的には、炭素数１〜２０のアルキル基、炭素原子数７〜２０のアリールアルキル基、炭素原子数６〜２０のアリール（ａｒｙｌ）基あるいは置換アリール（ａｒｙｌ）基などが挙げられる。たとえば、メチル基、エチル基、ｎ−プロピル基、イソプロピル基、アリル（ａｌｌｙｌ）基、ｎ−ブチル基、イソブチル基、sec−ブチル基、ｔ−ブチル基、アミル基、ｎ−ペンチル基、ネオペンチル基、ｎ−ヘキシル基、ｎ−ヘプチル基、ｎ−オクチル基、ｎ−ノニル基、ｎ−デカニル基、３−メチルペンチル基、１，１−ジエチルプロピル基、１，１−ジメチルブチル基、１−メチル−１−プロピルブチル基、１，１−ジプロピルブチル基、１，１−ジメチル−２−メチルプロピル基、１−メチル−１−イソプロピル−２−メチルプロピル基、シクロペンチル基、シクロヘキシル基、シクロヘプチル基、シクロオクチル基、ノルボルニル基、アダマンチル基、フェニル基、ｏ−トリル基、ｍ−トリル基、ｐ−トリル基、キシリル基、イソプロピルフェニル基、ｔ−ブチルフェニル基、ナフチル基、ビフェニル基、ターフェニル基、フェナントリル基、アントラセニル基、ベンジル基、クミル基を挙げることができ、メトキシ基、エトキシ基、フェノキシ基などの酸素含有基を含むものも炭化水素基（たとえば、アルコキシル基）として挙げられる。また、メチルエステル、エチルエステル、ｎ−プロピルエステル、イソプロピルエステル、ｎ−ブチルエステル、イソブチルエステル、（５−ノルボルネン−２−イル）エステルなどの不飽和カルボン酸エステル類（該不飽和カルボン酸がジカルボン酸である場合にはモノエステルであってもジエステルであってもよい）を含むものも炭化水素基として挙げられる。
【００８５】
酸素含有基としては、ヒドロキシル基が挙げられる。
有機化合物（ＡＡ）としては、たとえば、上記化学式（２）〜（１２）、
フェノール、ｏ−クレゾール、ｍ−クレゾール、ｐ−クレゾール、２，３−ジメチルフェノール、２，５−ジメチルフェノール、３，４−ジメチルフェノール、３，５−ジメチルフェノール、２，４−ジメチルフェノール、２，６−ジメチルフェノール、２，３，５−トリメチルフェノール、３，４，５−トリメチルフェノール、２−ｔｅｒｔ−ブチルフェノール、３−ｔｅｒｔ−ブチルフェノール、４−ｔｅｒｔ−ブチルフェノール、ＢＨＴ（ジブチルヒドロキシトルエン）、ＢＨＡ（ブチルヒドロキシアニソール）、２−フェニルフェノール、３−フェニルフェノール、４−フェニルフェノール、３，５−ジフェニルフェノール、２−ナフチルフェノール、３−ナフチルフェノール、４−ナフチルフェノール、４−トリチルフェノール、２−メチルレゾルシノール、４−メチルレゾルシノール、５−メチルレゾルシノール、４−ｔｅｒｔ−ブチルカテコール、２−メトキシフェノール、３−メトキシフェノール、２−プロピルフェノール、３−プロピルフェノール、４−プロピルフェノール、２−イソプロピルフェノール、３−イソプロピルフェノール、４−イソプロピルフェノール、２−メトキシ−５−メチルフェノール、２−ｔｅｒｔ−ブチル−５−メチルフェノール、チモール、イソチモール、１−ナフトール、２−ナフトール、２−メチル−１−ナフトール、４−メトキシ−１−ナフトール、７−メトキシ−２−ナフトール、
１，５−ジヒドロキシナフタレン、１，７−ジヒドロキシナフタレン、２，６−ジヒドロキシナフタレン等のジヒドロキシナフタレン、
１，３，６，８−テトラヒドロキシナフタレン等のテトラヒドロキシナフタレン、
３−ヒドロキシ−ナフタレン−２−カルボン酸メチル、９−ヒドロキシアントラセン、１−ヒドロキシピレン、１−ヒドロキシフェナントレン、９−ヒドロキシフェナントレン、ビスフェノールフルオレン、フェノールフタレイン、
２，３，４−トリヒドロキシベンゾフェノン、２，２'，３，４−テトラヒドロキシベンゾフェノン等のベンゾフェノン誘導体、
カテコール系タンニン、ピロガロール系タンニン、五倍子タンニン、没食子酸タンニン、フロロタンニンなどのタンニン類、
アントシアニン、ルチン、クエルセチン、フィセチン、ダイゼイン、ヘスペレチン、ヘスピリジン、クリシン、フラボノー、ヘスペレチンなどのフラボノイド類、
カテキン、ガロカテキン、カテキンガラート、エピカテキン、エピカロカテキン、エピカテキンガレート、エピカロカテキンガレート、プロシアニジン、テアフラビンなどのカテキン類、
クルクミン、リグナン、
ロドデンドロール［４−（ｐ−ヒドロキシフェニル）−２−ブタノール］、
アセチルロドデンドロール、ヘキサノイルロドデンドロール、オクタノイルロドデンドロール、ドデカノイルロドデンドロール、テトラデカノイルロドデンドロール、ヘキサデカノイルロドデンドロール、オクタデカノイルロドデンドロール、４−（３−アセトキシブチル）フェニルアセテート、４−（３−プロパノイルオキシブチル）フェニルプロパノエート、４−（３−オクタノイルオキシブチル）フェニルオクタノエート、４−（３−パルミトイルオキシブチル）フェニルパルミテート等のアシル化ロドデンドロール、
４−（３−メトキシブチル）フェノール、４−（３−エトキシブチル）フェノール、４−（３−オクチルオキシブチル）フェノール等のロドデンドロールアルキルエーテル体、
ロドデンドロール−Ｄ−グルコシド（αまたはβ体）、ロドデンドロール−Ｄ−ガラクトシド（αまたはβ体）、ロドデンドロール−Ｄ−キシロシド（αまたはβ体）、ロドデンドロール−Ｄ−マルトシド（αまたはβ体）等のロドデンドロール配糖体等、
αトコフェロール、βトコフェロール、γトコフェロール、δトコフェロールなどを挙げることができる。
【００８６】
また、これらの誘導体、たとえば、アルコキシル基を有する化合物、エステル化物なども挙げられる。具体的には、たとえば、ピロガロール−１，３−ジメチルエーテル、ピロガロール−１，３−ジエチルエーテル、５−プロピルピロガロール−１−メチルエーテルなどが挙げられる。
【００８７】
有機化合物（ＡＡ）としては、たとえば、上記化学式（２）に示した構造（１，２，３−Ｔｒｉｈｙｄｏｒｏｘｙｂｅｎｚｅｎｅ骨格）の化合物やその誘導体が有る。このような化合物は６価クロムの除去機能を有する。
【００８８】
この誘導体としては上記化学式（２）に示した化合物の４，５，６位に、炭化水素基または酸素含有基などの置換基を有するものがある。好ましい置換基としては、炭素数１〜２０の炭化水素基、炭素数１〜２０のアルコキシ基および炭素数１〜２０のエステル化物、より好ましくは炭素数１〜１０の炭化水素基、炭素数１〜２０のアルコキシ基および炭素数１〜１０のエステル化物が挙げられる。これらの基については、上記に記載の通りである。なお、後述の化合物の誘導体についても同様である。たとえば、上記化学式（３）に示した化合物などの没食子酸のエステルや、上記化学式（２）の構造を１分子中に複数有する上記化学式（４）に示した化合物や該化合物の誘導体などがある。カテコール系タンニン、ピロガロール系タンニン、五倍子タンニン、没食子酸タンニン、フロロタンニンなどのタンニン類などが挙げられる。
【００８９】
このように、４，５，６位に導入する置換基は、それぞれの使用法にあった置換基を導入することができる。たとえば、エステル系の溶媒に溶かして使用する場合にはエステル基を導入し相溶性を高めることもできる。
【００９０】
本発明において、上記有機化合物（ＡＡ）として、（ｉ）没食子酸のエステルと、（ｉｉ）タンニン酸およびその誘導体から選ばれる少なくとも１種の化合物とを含むことが好ましく、（ｉ）没食子酸のエステルと、（ｉｉ）タンニン酸を含むことがより好ましい。
【００９１】
没食子酸のエステルは、分子量が比較的小さいため、還元力はアスコルビン酸ほどではないが、タンニン酸より還元力が高いため、アスコルビン酸が分解し還元力を喪失した後においても、長期にわたり還元力を発揮する。没食子酸のエステルは、分解されにくい。
【００９２】
タンニン酸およびその誘導体は、長期にわたり還元力を維持できる。それゆえ、より長期にわたり、６価クロムの生成を抑制することができる。また、タンニン酸およびその誘導体は、安全性が高い。還元力は、アスコルビン酸および没食子酸のエステルに比べて遅行性であるが、分解されにくいため、アスコルビン酸および没食子酸のエステルに比べて、還元力を維持することができる。
【００９３】
それゆえ、これらの化合物を含むと、長期にわたり安定して還元することができる。さらに、ポリフェノール類は、還元性が強いため、好ましい。
【００９４】
また、上記化学式（２）では、１位、２位、３位に水酸基を有しているが、同様に１位、２位、４位に水酸基が導入された骨格（上記化学式（５））、１位、３位、５位に水酸基が導入された骨格（上記化学式（６））の化合物についても同様の効果がある。また、誘導体についても同様の効果がある。
【００９５】
また、上記化学式（２）では１つの芳香族環に３つの水酸基が導入されているが、１つの水酸基を有する化合物または２つの水酸基を有する化合物についても同様に６価クロム除去機能を有する。この様な骨格としてはたとえば、フェノール、ＢＨＴ、上記化学式（７）、上記化学式（８）、上記化学式（９）の化合物およびその誘導体がある。
【００９６】
芳香族環を複数結合した化合物に水酸基を有する化合物も同様の効果を有している。ナフタレン環に１つまたは、複数の水酸基を有するものなどが挙げられる。たとえば２つの水酸基を有する化合物としては上記化学式（１０）、上記化学式（１１）に示すものがある。この様な化合物の誘導体についても前述した化合物同様に６価クロム除去機能がある。
【００９７】
芳香族環が３つ連なったアントラセンに対して、水酸基を１つないし複数個任意の位置に導入した化合物についても同様の機能を示す。この様な化合物としては、たとえば上記化学式（１２）に示す化合物がある。また、これらの誘導体についても同様に６価クロム除去機能を有している。
【００９８】
上記化学式（１）に示される化合物としては、たとえば、長鎖アルキル基と複合環を有する化合物がある。この様な化合物は、有機性が高くなり水溶性が低下する。しかし、一方で有機溶剤との親和性が高くなるので、炭化水素系の溶媒にも溶解できる利点がある。
【００９９】
上記化学式（１）に示される化合物としては、カテキン、ガロカテキン、カテキンガラート、エピカテキン、エピカロカテキン、エピカテキンガレート、エピカロカテキンガレート、プロシアニジン、テアフラビンなどのカテキン類、およびカテキン類の誘導体であることも好ましい。これらのカテキン類は、安全性に優れ、還元力が高い。
【０１００】
（有機化合物（ＢＢ））
有機化合物（ＢＢ）は、上記化学式（１）に示される構造を有するが、たとえば上記化学式（１５）に示すヒドロキシフェニル基を有さない。該有機化合物（ＢＢ）としては、たとえば、ヘテロ環を有する化合物がある。ヘテロ環としてはフラン、クロメン、イソクロメン、キサンテンなどがある。この様な誘導体としては、たとえば上記化学式（１３）に示した構造の化合物やその誘導体、エリソルビン酸やその誘導体、４−ヒドロキシフラン−２（５Ｈ）−オンが有る。このような化合物は６価クロムの除去機能を有する。
【０１０１】
アスコルビン酸の誘導体としては、特に限定されないが、たとえば、アスコルビン酸エステル、アスコルビン酸リン酸エステル、アスコルビン酸硫酸エステル、アスコルビン酸グルコシド（２−Ｏ−α−Ｄ−グルコピラノシル−Ｌ−アスコルビン酸）、アスコルビン酸グルコサミン、デヒドロアスコルビン酸等を挙げることができる。
【０１０２】
エリソルビン酸の誘導体としては、エリソルビン酸エステル等を挙げることができる。
本発明において、上記有機化合物（ＢＢ）が、アスコルビン酸およびエリソルビン酸から選ばれる少なくとも１種の化合物であることが好ましく、アスコルビン酸であることがより好ましい。該化合物は、分解し易いため長期にわたり効果を実現できず、安全性に優れ、還元力も高く、即効性も高い。該化合物（ＢＢ）は、有機化合物（ＡＡ）とも反応せず相溶しなく、該化合物（ＡＡ）によって分解されないので、該処理液に好適に混合することができる。
【０１０３】
このように、上記化学式（１）に示される基本骨格を分子中に含む化合物であれば６価クロムを無害化し除去することができる。
【０１０４】
（６価クロム還元化合物の好ましい態様）
６価クロム還元化合物として、下記式（Ａ−ｉ）で表される化合物（Ａ−ｉ）およびタンニン（Ａ−ｉｉ）から選ばれる少なくとも１種が好ましく、下記式（Ａ−ｉ）で表される化合物（Ａ−ｉ）と、タンニン（Ａ−ｉｉ）とを組み合わせて用いることがより好ましい。
【０１０５】
化合物（Ａ−ｉ）は下記式（Ａ−ｉ）で表される。
【０１０６】
【化１７】
2020013037.tif 000019
【０１０７】
式中、ｎは、０、１または２を表す。すなわち、化合物（Ａ−ｉ）は、ベンゼン、ナフタレンまたはアントラセン構造を有する。
Ｒ11〜Ｒ18は、それぞれ独立に水素原子、ヒドロキシ基、炭素数１〜４のアルキル基、炭素数１〜４のアルコキシ基、または下記式（ａ−ｉ）で表される基を表す。ここで、Ｒ19は、炭素数１〜４のアルキル基を表す。
【０１０８】
【化１８】
2020013037.tif 000020
【０１０９】
炭素数１〜４のアルキル基としては、メチル基、エチル基、ｎ−プロピル基、ｉ−プロピル基、ｎ−ブチル基、ｉ−ブチル基、ｓ−ブチル基、ｔ−ブチル基が挙げられる。炭素数１〜４のアルコキシ基としては、メトキシ基、エトキシ基、ｎ−プロポキシ基、イソプロポキシ基、ｎ−ブトキシ基、イソブトキシ基、ｓ−ブトキシ基、ｔ−ブトキシ基が挙げられる。
【０１１０】
ｎが０のとき、Ｒ11〜Ｒ14、Ｒ16およびＲ17のうち少なくとも１個はヒドロキシ基である。Ｒ11〜Ｒ14、Ｒ16およびＲ17のうち、２個がヒドロキシ基である場合および３個がヒドロキシ基である場合は、６価クロムを還元する能力が高くなるため好ましい。
【０１１１】
ｎが１または２のとき、Ｒ11〜Ｒ18のうち少なくとも１個はヒドロキシ基である。ｎが１または２のとき、Ｒ11〜Ｒ18のうち、２個がヒドロキシ基である場合および３個がヒドロキシ基である場合は、６価クロムを還元する能力が高くなるため好ましい。
【０１１２】
なお、ｎが２のとき、複数あるＲ15は、同一であっても異なっていてもよく、Ｒ18についても同様である。
Ｒ16とＲ17とは相互に一体となって５員環または６員環を形成していてもよく、該環を構成する原子としては炭素原子の他に酸素原子が含まれていてもよい。また、該環は置換基として炭素数１〜１６のアルキル基を有していてもよい。炭素数１〜１６のアルキル基は、直鎖状であっても分岐状であってもよい。
【０１１３】
化合物（Ａ−ｉ）としては、具体的には、上述した式（２）、（３）、（５）〜（１２）で表される化合物や、上述した例示化合物が挙げられる。化合物（Ａ−ｉ）は単独で用いても２種以上を組み合わせて用いてもよい。
【０１１４】
タンニン（Ａ−ｉｉ）は、加水分解性タンニンであっても、縮合型タンニンであってもよい。加水分解性タンニンとしては、タンニン酸（上記式（４）で表される化合物）等のガロタンニン、エラジタンニンなどが挙げられる。後述する処理剤を調製する観点からは、加水分解性タンニンが好適に用いられる。タンニン（Ａ−ｉｉ）は単独で用いても２種以上を組み合わせて用いてもよい。
【０１１５】
なお、化合物（Ａ−ｉ）、タンニン（Ａ−ｉｉ）において、ヒドロキシ基が結合している炭素が、たとえば上記式（１）の炭素２に対応している。
６価クロム還元化合物として、化合物（Ａ−ｉ）、タンニン（Ａ−ｉｉ）とともに、さらに下記式（Ｂ−ｉ）で表される化合物（Ｂ−ｉ）および下記式（Ｂ−ｉｉ）で表される化合物（Ｂ−ｉｉ）から選ばれる少なくとも１種を用いることが好ましい。
【０１１６】
【化１９】
2020013037.tif 000021
【０１１７】
式中、Ｘは、下記式（ｂ−ｉ）〜（ｂ−ｉｉｉ）で表される基のいずれかを表す。ここで、оは、０〜３の整数を表し、ｐは、１〜３の整数を表し、ｑは、１〜１７の整数を表す。
【０１１８】
【化２０】
2020013037.tif 000022
【０１１９】
化合物（Ｂ−ｉ）および化合物（Ｂ−ｉｉ）としては、具体的には、上述した式（１３）で表される化合物や、上述した例示化合物が挙げられる。化合物（Ｂ−ｉ）および化合物（Ｂ−ｉｉ）はそれぞれ単独で用いても２種以上を組み合わせて用いてもよい。また、化合物（Ｂ−ｉ）および化合物（Ｂ−ｉｉ）を組み合わせて用いてもよい。
【０１２０】
この６価クロム処理剤中において、有機化合物（ＡＡ）および（ＢＢ）の割合は、本発明の効果を奏する限り特に限定されないが、重量％比（（ＡＡ）：（ＢＢ））で、５０〜９０：１０〜５０であることが好ましく、５０〜８０：２０〜５０であることがより好ましく、５０〜７０：３０〜５０であることがさらに好ましい（ただし、（ＡＡ）と（ＢＢ）との合計を１００重量％とする）。
【０１２１】
該６価クロム処理剤が、上記（ｉ）没食子酸のエステルと、上記（ii）タンニン酸およびその誘導体から選ばれる少なくとも１種の化合物と、有機化合物（ＢＢ）とを含む場合、本発明の効果を奏する限り特に限定されないが、重量％比（（ｉ）：（ii）：（ＢＢ））で、１〜２０：３０〜８９：１０〜５０の割合が好ましく、３〜１７：３３〜７７：２０〜５０の割合がより好ましく、５〜１５：３５〜６５：３０〜５０の割合がさらに好ましい（ただし、（ｉ）、（ii）および（ＢＢ）の合計を１００重量％とする）。有機化合物（ＢＢ）としては、化合物（ｉ）および（ii）と相溶せず、化合物（ii）に取り込まれず、好適に還元させることができるため、アスコルビン酸および／またはエリソルビン酸が好ましい。また、これらの量比であれば、水および有機溶媒の両方に溶けやすくなるため、好ましい。該処理液は、長期信頼性が得られるため、好ましい。
【０１２２】
また、６価クロム処理剤が化合物（Ａ−ｉ）とタンニン（Ａ−ｉｉ）とを含む場合、化合物（Ａ−ｉ）およびタンニン（Ａ−ｉｉ）の割合は、本発明の効果を奏する限り特に限定されないが、重量％比（（Ａ−ｉ）：（Ａ−ｉｉ））で、１１〜７０：３０〜８９が好ましく、２３〜６７：３３〜７７がより好ましく、３５〜５０：５０〜６５がさらに好ましい（ただし、（Ａ−ｉ）および（Ａ−ｉｉ）の合計を１００重量％とする）。これにより、長期にわたり６価クロムが低減された状態を維持できる。
【０１２３】
また、６価クロム処理剤が化合物（Ａ−ｉ）と、タンニン（Ａ−ｉｉ）と、化合物（Ｂ−ｉ）および／または（Ｂ−ｉｉ）とを含む場合、化合物（Ａ−ｉ）、タンニン（Ａ−ｉｉ）、ならびに化合物（Ｂ−ｉ）および（Ｂ−ｉｉ）の合計の割合は、本発明の効果を奏する限り特に限定されないが、重量％比（（Ａ−ｉ）：（Ａ−ｉｉ）：（Ｂ−ｉ）および（Ｂ−ｉｉ）の合計）で、１〜２０：３０〜８９：１０〜５０が好ましく、３〜１７：３３〜７７：２０〜５０がより好ましく、５〜１５：３５〜６５：３０〜５０がさらに好ましい（ただし、（Ａ−ｉ）、（Ａ−ｉｉ）、（Ｂ−ｉ）および（Ｂ−ｉｉ）の合計を１００重量％とする）該処理液は、長期信頼性が得られるため、好ましい。
【０１２４】
その他の実施形態に係る６価クロムを含む骨粉の処理方法で用いる上記６価クロム処理剤は、上述した６価クロム還元化合物の他、溶媒を含んでいてもよい。溶媒としては、水、炭素原子数１〜３のアルコール（プロパノール、イソプロパノール（ＩＰＡ）、メタノールおよびエタノール）などが挙げられる。溶媒は、１種単独で用いても、２種以上を組み合わせて用いてもよい。この場合、６価クロム処理剤は、６価クロム還元化合物をたとえば０．０１〜１０．０質量％の量で含む。
【０１２５】
以上より、本発明は以下に関する。
〔１〕  Ｌ−アスコルビン酸、Ｌ−アスコルビン酸ナトリウム、Ｌ−アスコルビン酸カルシウム、Ｌ−アスコルビン酸２−グルコシド、エリソルビン酸、エリソルビン酸ナトリウム、およびエリソルビン酸カルシウムからなる群から選ばれる少なくとも一種の化合物（ＡＡ）と、下記式（ｂ１）で表される化合物、下記式（ｂ２）で表される化合物、下記式（ｂ３）で表される化合物、１，２，４−ベンゼントリオール、および１，３，５−ベンゼントリオールからなる群から選ばれる少なくとも一種の化合物（Ｂ）と、無水硫酸ナトリウム、無水硫酸カリウム、無水硫酸マグネシウム、および無水硫酸カルシウムからなる群から選ばれる少なくとも一種の化合物（Ｃ）とを含む、６価クロム処理剤。
【化２１】
2020013037.tif 000023
（式（ｂ１）、（ｂ２）および（ｂ３）中、Ｒは、−ＣＯＯＨまたは−ＣＯＯ（ＣＨ2）nＣＨ3で表される基であり、ｎは０、１または２を表す。）
上記６価クロム処理剤によれば、汚染物質に含まれる６価クロムの含有量を十分に低減できる。
【０１２６】
〔２〕  化合物（Ａ）、化合物（Ｂ）および化合物（Ｃ）の合計を１００質量部としたとき、化合物（Ａ）を６０質量部以上９０質量部以下の量で、化合物（Ｂ）を５質量部以上２０質量部以下の量で、化合物（Ｃ）を５質量部以上２０質量部以下の量で含む、〔１〕に記載の６価クロム処理剤。
化合物（Ａ）、化合物（Ｂ）および化合物（Ｃ）を上記の量で含んでいると、還元力および安定性のバランスが向上できる。
【０１２７】
〔３〕  上記化合物（Ａ）が、Ｌ−アスコルビン酸、Ｌ−アスコルビン酸ナトリウム、Ｌ−アスコルビン酸カルシウム、エリソルビン酸、またはエリソルビン酸ナトリウムである、〔１〕または〔２〕に記載の６価クロム処理剤。
食品添加物として指定されている上記化合物（Ａ）を含んでいると、安全性が向上できる。
【０１２８】
〔４〕  上記化合物（Ｂ）が、上記式（ｂ１）で表される化合物、１，２，４−ベンゼントリオール、または１，３，５−ベンゼントリオールである、〔１〕〜〔３〕のいずれか１つに記載の６価クロム処理剤。
上記化合物（Ｂ）を含んでいると、還元力および酸化防止機能が向上できる。
【０１２９】
〔５〕  上記化合物（Ｃ）が、無水硫酸ナトリウムである、〔１〕〜〔４〕のいずれか１つに記載の６価クロム処理剤。
上記化合物（Ｃ）を含んでいると、６価クロム処理剤が、より速やかに廃水に溶けるようになる。また、６価クロム処理剤の劣化をより抑制でき、さらに、６価クロム処理剤の安全性も向上できる。
【０１３０】
〔６〕  さらに、タンニン酸およびカテキンからなる群から選ばれる少なくとも一種の化合物（Ｄ）を含む、〔１〕〜〔５〕のいずれか１つに記載の６価クロム処理剤。
上記化合物（Ｄ）を含んでいると、６価クロム処理剤が、長期間にわたり還元力を発揮できる。
【０１３１】
〔７〕  ６価クロムを含む汚染物質と、〔１〕〜〔６〕のいずれか１つに記載の６価クロム処理剤とを接触させ、上記汚染物質に含まれる６価クロムを還元する工程を含む、６価クロムを含む汚染物質の処理方法。
上記処理方法によれば、汚染物質に含まれる６価クロムの含有量を十分に低減できる。
【０１３２】
〔８〕  上記６価クロムを含む汚染物質が、６価クロムを含む廃水、６価クロムを含む土壌または６価クロムを含む骨粉である、〔７〕に記載の６価クロムを含む汚染物質の処理方法。
上記処理方法によれば、６価クロムを含む廃水、６価クロムを含む土壌または６価クロムを含む骨粉に含まれる６価クロムの含有量を十分に低減できる。
【０１３３】
〔９〕  ６価クロムを含む骨粉と、６価クロム処理剤とを接触させ、上記骨粉に含まれる６価クロムを還元する工程を含み、上記６価クロム処理剤が、Ｌ−アスコルビン酸、Ｌ−アスコルビン酸ナトリウム、Ｌ−アスコルビン酸カルシウム、Ｌ−アスコルビン酸２−グルコシド、エリソルビン酸、エリソルビン酸ナトリウム、およびエリソルビン酸カルシウムからなる群から選ばれる少なくとも一種の化合物（Ａ）と、下記式（ｂ１）で表される化合物、下記式（ｂ２）で表される化合物、下記式（ｂ３）で表される化合物、１，２，４−ベンゼントリオール、および１，３，５−ベンゼントリオールからなる群から選ばれる少なくとも一種の化合物（Ｂ）と、無水硫酸ナトリウム、無水硫酸カリウム、無水硫酸マグネシウム、および無水硫酸カルシウムからなる群から選ばれる少なくとも一種の化合物（Ｃ）とを含む、６価クロムを含む骨粉の処理方法。
【化２２】
2020013037.tif 000024
（式（ｂ１）、（ｂ２）および（ｂ３）中、Ｒは、−ＣＯＯＨまたは−ＣＯＯ（ＣＨ2）nＣＨ3で表される基であり、ｎは０、１または２を表す。）
【０１３４】
〔１０〕  上記骨粉に含まれる６価クロムを還元する工程が、土の地面に、骨粉を埋めるための骨粉用穴を設け、該骨粉用穴に、予め上記６価クロム処理剤を混合した土を入れ、該６価クロム処理剤を混合した土の上に、骨粉をおき、該骨粉の上から、さらに上記６価クロム処理剤を混合した土をかける工程である、〔９〕に記載の６価クロムを含む骨粉の処理方法。
【０１３５】
〔１１〕  上記骨粉に含まれる６価クロムを還元する工程が、土の地面に、骨粉を埋めるための骨粉用穴を設け、該骨粉用穴に、骨粉をおき、該骨粉の上に、土をかけ、該土の上から、さらに上記６価クロム処理剤を溶かした水溶液をかける工程である、〔９〕に記載の６価クロムを含む骨粉の処理方法。
【０１３６】
〔１２〕  上記骨粉に含まれる６価クロムを還元する工程が、じゃま板が設けられたトイに、上記６価クロム処理剤を溶かした水溶液を流し、流れる上記水溶液に対して、骨粉を散布し、上記じゃま板に上記水溶液と上記骨粉とが当たって攪拌されながら、水面に上記骨粉が放出される工程である、〔９〕に記載の６価クロムを含む骨粉の処理方法。
上記処理方法によれば、６価クロムを含む骨粉に含まれる６価クロムの含有量を十分に低減できる。
【０１３７】
以下、実施例に基づいて本発明をさらに具体的に説明するが、本発明はこれらの実施例に限定されるものではない。
【０１３８】
［実施例］
＜６価クロム処理剤＞
［実施例１−１−１］
化合物（Ａ）としてＬ−アスコルビン酸ナトリウム（１００メッシュ以下）９０質量部、化合物（Ｂ）として没食子酸プロピル（１００メッシュ以下）５質量部、および化合物（Ｃ）として無水硫酸ナトリウム５質量部を乳鉢に入れ、乳棒で混合し、６価クロム処理剤を得た。
【０１３９】
［実施例１−１−２］
化合物（Ａ）としてＬ−アスコルビン酸ナトリウム（１００メッシュ以下）８０質量部、化合物（Ｂ）として没食子酸プロピル（１００メッシュ以下）１０質量部、および化合物（Ｃ）として無水硫酸ナトリウム１０質量部を乳鉢に入れ、乳棒で混合し、６価クロム処理剤を得た。
【０１４０】
［実施例１−１−３］
化合物（Ａ）としてＬ−アスコルビン酸ナトリウム（１００メッシュ以下）７０質量部、化合物（Ｂ）として没食子酸プロピル（１００メッシュ以下）１５質量部、および化合物（Ｃ）として無水硫酸ナトリウム１５質量部を乳鉢に入れ、乳棒で混合し、６価クロム処理剤を得た。
【０１４１】
［実施例１−１−４］
化合物（Ａ）としてＬ−アスコルビン酸ナトリウム（１００メッシュ以下）６０質量部、化合物（Ｂ）として没食子酸プロピル（１００メッシュ以下）２０質量部、および化合物（Ｃ）として無水硫酸ナトリウム２０質量部を乳鉢に入れ、乳棒で混合し、６価クロム処理剤を得た。
【０１４２】
［実施例２−１−１〜２−１−４］
化合物（Ａ）としてＬ−アスコルビン酸ナトリウム（１００メッシュ以下）の代わりに、Ｌ−アスコルビン酸（１００メッシュ以下）を用いた他は、それぞれ実施例１−１−１〜１−１−４と同様にして、６価クロム処理剤を得た。
【０１４３】
［実施例３−１−１］
化合物（Ａ）としてＬ−アスコルビン酸ナトリウム（１００メッシュ以下）の代わりに、Ｌ−アスコルビン酸２−グルコシド（１００メッシュ以下）を用いた他は、それぞれ実施例１−１−１と同様にして、６価クロム処理剤を得た。
【０１４４】
＜廃水処理＞
［実施例１−２−１］
６価クロムを含む廃水（Ｃｒ6+の濃度が０．１４ｍｇ／Ｌの廃水）１００ｇに対して、実施例１−１−１で作製した６価クロム処理剤を２．５ｍｇ加えて攪拌して、廃水処理を行った。
【０１４５】
［実施例１−２−２］
６価クロムを含む廃水（Ｃｒ6+の濃度が０．１４ｍｇ／Ｌの廃水）１００ｇに対して、実施例１−１−１で作製した６価クロム処理剤を５．０ｍｇ加えて攪拌して、廃水処理を行った。
【０１４６】
［実施例１−２−３］
６価クロムを含む廃水（Ｃｒ6+の濃度が０．１４ｍｇ／Ｌの廃水）１００ｇに対して、実施例１−１−１で作製した６価クロム処理剤を１２．５ｍｇ加えて攪拌して、廃水処理を行った。
【０１４７】
［実施例１−２−４〜１−２−６］
６価クロムを含む廃水（Ｃｒ6+の濃度が０．５ｍｇ／Ｌの廃水）を用いた他は、それぞれ実施例１−２−１〜１−２−３と同様にして、廃水処理を行った。
【０１４８】
［実施例１−２−７〜１−２−９］
６価クロムを含む廃水（Ｃｒ6+の濃度が１．０ｍｇ／Ｌの廃水）を用いた他は、それぞれ実施例１−２−１〜１−２−３と同様にして、廃水処理を行った。
【０１４９】
［実施例１−２−１０〜１−２−１８］
実施例１−１−２で作製した６価クロム処理剤を用いた他は、それぞれ実施例１−２−１〜１−２−９と同様にして、廃水処理を行った。
【０１５０】
［実施例１−２−１９〜１−２−２７］
実施例１−１−３で作製した６価クロム処理剤を用いた他は、それぞれ実施例１−２−１〜１−２−９と同様にして、廃水処理を行った。
【０１５１】
［実施例１−２−２８〜１−２−３６］
実施例１−１−４で作製した６価クロム処理剤を用いた他は、それぞれ実施例１−２−１〜１−２−９と同様にして、廃水処理を行った。
【０１５２】
［実施例２−２−１］
６価クロムを含む廃水（Ｃｒ6+の濃度が０．１４ｍｇ／Ｌの廃水）１００ｇに対して、実施例２−１−１で作製した６価クロム処理剤を２．５ｍｇ加えて攪拌して、廃水処理を行った。
【０１５３】
［実施例２−２−２］
６価クロムを含む廃水（Ｃｒ6+の濃度が０．１４ｍｇ／Ｌの廃水）１００ｇに対して、実施例２−１−１で作製した６価クロム処理剤を５．０ｍｇ加えて攪拌して、廃水処理を行った。
【０１５４】
［実施例２−２−３］
６価クロムを含む廃水（Ｃｒ6+の濃度が０．１４ｍｇ／Ｌの廃水）１００ｇに対して、実施例２−１−１で作製した６価クロム処理剤を１２．５ｍｇ加えて攪拌して、廃水処理を行った。
【０１５５】
［実施例２−２−４〜２−２−６］
６価クロムを含む廃水（Ｃｒ6+の濃度が０．５ｍｇ／Ｌの廃水）を用いた他は、それぞれ実施例２−２−１〜２−２−３と同様にして、廃水処理を行った。
【０１５６】
［実施例２−２−７〜２−２−９］
６価クロムを含む廃水（Ｃｒ6+の濃度が１．０ｍｇ／Ｌの廃水）を用いた他は、それぞれ実施例２−２−１〜２−２−３と同様にして、廃水処理を行った。
【０１５７】
［実施例２−２−１０〜２−２−１８］
実施例２−１−２で作製した６価クロム処理剤を用いた他は、それぞれ実施例２−２−１〜２−２−９と同様にして、廃水処理を行った。
【０１５８】
［実施例２−２−１９〜２−２−２７］
実施例２−１−３で作製した６価クロム処理剤を用いた他は、それぞれ実施例２−２−１〜２−２−９と同様にして、廃水処理を行った。
【０１５９】
［実施例２−２−２８〜２−２−３６］
実施例２−１−４で作製した６価クロム処理剤を用いた他は、それぞれ実施例２−２−１〜２−２−９と同様にして、廃水処理を行った。
【０１６０】
［実施例３−２−１］
６価クロムを含む廃水（Ｃｒ6+の濃度が０．１４ｍｇ／Ｌの廃水）１００ｇに対して、実施例３−１−１で作製した６価クロム処理剤を１２．５ｍｇ加えて攪拌して、廃水処理を行った。
【０１６１】
［実施例３−２−２］
６価クロムを含む廃水（Ｃｒ6+の濃度が０．５ｍｇ／Ｌの廃水）を用いた他は、実施例３−２−１と同様にして、廃水処理を行った。
【０１６２】
［実施例３−２−３］
６価クロムを含む廃水（Ｃｒ6+の濃度が１．０ｍｇ／Ｌの廃水）を用いた他は、実施例３−２−１と同様にして、廃水処理を行った。
【０１６３】
［６価クロム濃度の測定］
６価クロム処理剤による廃水処理後の水について、６価クロム濃度の測定の測定を行った。具体的には、６価クロムの濃度は、ジフェニルカルバジド吸光光度法により、ＪＩＳ  Ｋ  ０１０２  ６５．２．１に準拠して測定した。実施例１−２−１〜１−２−３６、実施例２−２−１〜２−２−３６、実施例３−２−１〜３−２−３では、廃水処理後の水における６価クロムの濃度は、０．０５ｍｇ／Ｌ未満であった。
【０１６４】
＜安定性＞
［実施例１−３−１］
実施例１−１−１で作製した６価クロム処理剤を、温度４０℃、湿度８０％ＲＨの室内で２か月保存した。その後、６価クロムを含む廃水（Ｃｒ6+の濃度が０．１４ｍｇ／Ｌの廃水）１００ｇに対して、保存後の６価クロム処理剤を２．５ｍｇ加えて攪拌して、廃水処理を行った。
【０１６５】
［実施例１−３−２］
実施例１−１−２で作製した６価クロム処理剤を用いた他は、実施例１−３−１と同様にして、廃水処理を行った。
【０１６６】
［実施例１−３−３］
実施例１−１−３で作製した６価クロム処理剤を用いた他は、実施例１−３−１と同様にして、廃水処理を行った。
【０１６７】
［実施例１−３−４］
実施例１−１−４で作製した６価クロム処理剤を用いた他は、実施例１−３−１と同様にして、廃水処理を行った。
【０１６８】
［比較例１−１−１］
化合物（Ａ）としてＬ−アスコルビン酸ナトリウム（１００メッシュ以下）９０質量部、および化合物（Ｂ）として没食子酸プロピル（１００メッシュ以下）５質量部を乳鉢に入れ、乳棒で混合し、６価クロム処理剤を得た。作製した６価クロム処理剤を、温度４０℃、湿度８０％ＲＨの室内で２か月保存した。その後、６価クロムを含む廃水（Ｃｒ6+の濃度が０．１４ｍｇ／Ｌの廃水）１００ｇに対して、保存後の６価クロム処理剤を２．５ｍｇ加えて攪拌して、廃水処理を行った。
【０１６９】
［比較例２−１−１］
化合物（Ａ）としてＬ−アスコルビン酸ナトリウム（１００メッシュ以下）９０質量部、および化合物（Ｃ）として無水硫酸ナトリウム５質量部を乳鉢に入れ、乳棒で混合し、６価クロム処理剤を得た。作製した６価クロム処理剤を、温度４０℃、湿度８０％ＲＨの室内で２か月保存した。その後、６価クロムを含む廃水（Ｃｒ6+の濃度が０．１４ｍｇ／Ｌの廃水）１００ｇに対して、保存後の６価クロム処理剤を２．５ｍｇ加えて攪拌して、廃水処理を行った。
【０１７０】
［６価クロム濃度の測定］
６価クロム処理剤による廃水処理後の水について、６価クロム濃度の測定の測定を行った。具体的には、６価クロムの濃度は、ジフェニルカルバジド吸光光度法により、ＪＩＳ  Ｋ  ０１０２  ６５．２．１に準拠して測定した。実施例１−３−１〜１−３−４では、廃水処理後の水における６価クロムの濃度は、０．０５ｍｇ／Ｌ未満であった。一方、比較例１−１−１、２−１−１では、廃水処理後の水における６価クロムの濃度は、０．０５ｍｇ／Ｌを超えていた。
【０１７１】
なお、実施例で作製した６価クロム処理剤を用いて、６価クロムを含む土壌または６価クロムを含む骨粉を処理した場合も、上記廃水処理と同様に、６価クロムの濃度を低減できると考えられる。
【０１７２】
＜骨粉処理の模擬的処理＞
［実施例４−１］
重クロム酸カリウムの水溶液（濃度１質量％）にろ紙を浸けた後、乾燥させ、６価クロムを含むろ紙を得た。これを６価クロムを含む骨粉の代わりに用いた。
実施例１−１−１で作製した６価クロム処理剤と砂とを混ぜ、ふるいの上に敷き詰めた。その上に、６価クロムを含むろ紙を置いた。さらに、６価クロムを含むろ紙の上を、６価クロム処理剤と砂との混合物で覆った。また、ふるいの下には容器を用意しておいた。６価クロムを含むろ紙を覆っている混合物の上から水をかけ、容器にふるいを通った水を回収した。
【０１７３】
［実施例４−２〜４−４］
実施例１−１−２〜１−１−４で作製した６価クロム処理剤を用いた他は、実施例４−１と同様にして、模擬的処理を行った。
【０１７４】
［調製例１］
水およびＩＰＡを５０：５０（質量％比）で混合し、混合溶媒を調製した。
化学式（３）で示される化合物０．５ｇ、化学式（４）で示される化合物２．５ｇ、および化学式（１３）で示される化合物２．０ｇを混合溶媒と混合し均質化させ、６価クロム処理剤を得た。ここで、混合溶媒は６価クロム処理剤の全量が５００ｇとなるように用いた。該処理剤の２５℃における動粘度は３．７（ｃＳｔ）であった。なお、動粘度は、ウベローデ粘度計を用いて、溶媒として、ＩＰＡと水（１ｖｏｌ：１ｖｏｌ）の混合溶媒を用い、温度２５．０℃で測定した。
【０１７５】
［実施例４−５］
調製例１で作製した６価クロム処理剤を用いた他は、実施例４−１と同様にして、模擬的処理を行った。
【０１７６】
［比較例４−１］
６価クロム処理剤を用いず、ふるいの上に砂のみを敷き詰め、その上に、６価クロムを含むろ紙を置いた以外は、実施例４−１と同様にして、模擬的処理を行った。
【０１７７】
［６価クロム濃度の測定］
回収した水について、６価クロム濃度の測定の測定を行った。具体的には、６価クロムの濃度は、ジフェニルカルバジド吸光光度法により、ＪＩＳ  Ｋ  ０１０２  ６５．２．１に準拠して測定した。実施例４−１〜４−５では、模擬的処理後の水における６価クロムの濃度は、０．０５ｍｇ／Ｌ未満であった。一方、比較例４−１では、模擬的処理後の水における６価クロムの濃度は、０．０５ｍｇ／Ｌを超えていた。
【符号の説明】
【０１７８】
１１  骨粉用穴
１２  ６価クロム処理剤を混合した土
１３  骨粉
２１  骨粉用穴
２２  骨粉
２３  土
２４  ６価クロム処理剤を溶かした水溶液
３１  トイ
３２  じゃま板
【図１】
2020013037.tif 000028
【図２】
2020013037.tif 000029
【図３】
2020013037.tif 000030
【国際調査報告】
2020013037.tif 000031
2020013037.tif 000032
2020013037.tif 000033
2020013037.tif 000034